(57)【要約】      （修正有）【課題】回路基板をネジで固定することなく、キー操作時におけるこの回路基板のぐらつきを抑え、組立工数を減らした安価なリモコン装置を提供する。【解決手段】回路基板５のボス５１をキーラバー４の開口部に嵌合させる。トップケース３のキー穴４１に回路基板５に重ね合わしたキーラバー４の操作キー４１をはめ込む。トップケース３の側面に形成した溝３２に、ボトムケース２の凸部を嵌挿し、ボトムケース２を図１に示すＡ方向にスライドさせ、ボトムケース２をトップケース３に取り付ける。リブ２２は、長手方向に平行に複数本設けている。キーラバー４を重ねた回路基板５がリブ２２とトップケース３の内面とにより挟持された状態となる。従って、回路基板５をネジで固定をしなくてもキー操作時に回路基板５がぐらつくことがない。【選択図】図１
2006041140.tif 000002
【特許請求の範囲】
【請求項１】
複数のキーが配置された入力操作部で操作されたキーに応じて電子機器本体に対する制御信号を送信する送信手段を備えたリモコン装置において、
複数のリブを平行に形成したボトムケースと、
前記ボトムケースに合わせて筐体を構成するトップケースと、
前記ボトムケースと前記トップケースとの間に載置される前記送信手段にかかる回路を有し、その上に操作キーとなるキーラバーを重ねた回路基板と、を備え、
前記リブは、前記ボトムケースと前記トップケースを合わせた時に、前記回路基板を前記トップケースに圧接する高さであり、
前記ボトムケースまたは前記トップケースの一方は両側面に溝が形成されており、他方は前記一方の両側面に形成されている溝に嵌挿する凸部が形成されており、
前記トップケースは、合わせて筐体を構成している前記ボトムケースから取り外すときに、スライドさせる方向の端部に電池を収納する電池収納部を設けたリモコン装置。
【請求項２】
複数のキーが配置された入力操作部で操作されたキーに応じて電子機器本体に対する制御信号を送信する送信手段を備えたリモコン装置において、
複数のリブを平行に形成したボトムケースと、
前記ボトムケースに合わせて筐体を構成するトップケースと、
前記ボトムケースと前記トップケースとの間に載置される前記送信手段にかかる回路を有し、その上に操作キーとなるキーラバーを重ねた回路基板と、を備え、
前記リブは、前記ボトムケースと前記トップケースを合わせた時に、前記回路基板を前記トップケースに圧接する高さであるリモコン装置。
【請求項３】
前記ボトムケースまたは前記トップケースの一方は両側面に溝が形成されており、他方は前記一方の両側面に形成されている溝に嵌挿する凸部が形成されている請求講２に記載のリモコン装置。
【請求項４】
前記トップケースは、合わせて筐体を構成している前記ボトムケースから取り外すときに、スライドさせる方向の端部に電池を収納する電池収納部を設けた請求項３に記載のリモコン装置。
【発明の詳細な説明】
【技術分野】
【０００１】
この発明は、操作されたキーに応じた制御信号を送信することにより電子機器本体を離れた場所から遠隔操作するリモコン装置に関する。
【背景技術】
【０００２】
従来、リモコン装置で遠隔操作が行えるテレビやエアコン等の電子機器が一般に普及している。リモコン装置は、制御信号を送信することによって電子機器を遠隔操作する。ユーザは、リモコン装置によって離れた場所から電子機器を遠隔操作できるので、わざわざ電子機器本体の場所まで移動して操作する必要がなく、電子機器を簡単に操作できる。このようなリモコン装置には、特許文献１に示されているように、ボトムケースと、バッテリーカバーを一体化し、この一体化したバッテリーカバーをスライドさせて閉開を行う構成が提案されている。また、特許文献２に示されているように、スライドカバーのレール部とレール受部の隙間を小さくすることで、ぐらつきを抑える機構も提案されている。
【特許文献１】特開２０００−２８１９０号公報
【特許文献２】特開２００１−２１０１６７号公報
【発明の開示】
【発明が解決しようとする課題】
【０００３】
しかしながら、従来のリモコン装置は、内部に収納する回路基板がキー操作によってぐらつかないように、この回路基板をボトムケースまたはトップケースのどちらかにネジで固定している。このように従来のリモコン装置は回路基板をネジで固定することから組立工数が多く、組立コストがかかるという問題があった。
【０００４】
この発明の目的は、回路基板をネジで固定することなく、キー操作時におけるこの回路基板のぐらつきを抑え、組立工数を減らした安価なリモコン装置を提供することにある。
【課題を解決するための手段】
【０００５】
この発明のリモコン装置は、上記課題を解決するために以下の構成を備えている。
（１）複数のキーが配置された入力操作部で操作されたキーに応じて電子機器本体に対する制御信号を送信する送信手段を備えたリモコン装置において、
複数のリブを平行に形成したボトムケースと、
前記ボトムケースに合わせて筐体を構成するトップケースと
前記ボトムケースと前記トップケースとの間に載置される前記送信手段にかかる回路を有し、その上に操作キーとなるキーラバーを重ねた回路基板と、を備え、
前記リブは、前記ボトムケースと前記トップケースを合わせた時に、前記回路基板を前記トップケースに圧接する高さである。
【０００６】
この構成では、ボトムケースに形成されている複数のリブの上に、電子機器本体に制御信号を送信する送信手段にかかる回路を有する回路基板が載置され、その上にトップケースが合わせられる。回路基板は、その上に操作キーとなるキーラバーが重ねられている。リブの高さは、ボトムケースとトップケースを合わせた時に、その上に操作キーとなるキーラバーを重ねた回路基板をトップケースに圧接する高さである。このためキーラバーを重ねた回路基板がボトムケースとトップケースとを合わせた時、リブとトップケースの内面により挟持された状態となる。また、リブは平行に複数本設けられている。従って、ボトムケースとトップケースとを合わせることで、回路基板をネジで固定をしなくてもキー操作時に回路基板がぐらつくことがない。
（２）前記ボトムケースまたは前記トップケースの一方は両側面に溝が形成されており、他方は一方の両側面に形成されている溝に嵌挿する凸部が形成されている。
【０００７】
この構成では、ボトムケースまたは前記トップケースの一方は両側面に溝、他方は両側面に溝に嵌挿する凸部を形成したので、溝に凸部を嵌挿し、一方をスライドするだけで、簡単に組み立てることができる。
（３）前記トップケースは、合わせて筐体を構成している前記ボトムケースから取り外すときに、スライドさせる方向の端部に電池を収納する電池収納部を設ける。
【０００８】
この構成では、トップケースを、ボトムケースからを取り外すときに、スライドさせる方向の端部に電池を収納する電池収納部を設けているので電池収納部の幅だけトップケースをスライドさせるだけで電池交換が行える。
【発明の効果】
【０００９】
この発明によれば、回路基板を、ネジ止めをしなくてもキー操作持に回路基板がぐらつくことがないので、組立工数を減らし、コストを押さえることができる。
【発明を実施するための最良の形態】
【００１０】
以下、この発明の実施形態であるリモコン装置について説明する。
【００１１】
図１は、この発明の実施形態であるリモコン装置の分解構造図である。この実施形態のリモコン装置１は、リモコン装置本体の底部となるボトムケース２と、リモコン装置本体の蓋部となるトップケース３と、前記ボトムケース２と前記トップケース３とで構成される本体ケース内に収納されるキーラバー４、および回路基板５と、を備えている。
【００１２】
ボトムケース２は、両側面にそれぞれ内側面の上端に凸部２１を形成している。また、ボトムケース２は底面にリブ２２を長手方向（図 1に示すＡ方向）に沿って形成している。リブ２２は、平行に２本形成している。リブ２２の本数はこの実施形態では、２本にしているが、３本以上であってもかまわない。また、複数のリブ２２を長手方向に平行に形成しているが、長手方向に垂直な方向、すなわち幅方向、に平行に形成しても良い。
【００１３】
トップケース３はその上面に操作キーを挿入する複数のキー穴３１を形成している。トップケース３の両側面には、それぞれ外側の下端に溝３２が形成されている。ボトムケース２とトップケース３とはボトムケース２の凸部２１をトップケース３の溝３２に挿入し、一方を他方に対してスライドさせることにより着脱できる。トップケース３におけるボトムケース２の凸部２１を溝３２に挿入する側の反対側（以下、下側と言う。）の端部が電池５２の収納部である。この実施形態では、溝３２をトップケース３側、凸部２１をボトムケース２側に形成しているが、溝３２をボトムケース２側、凸部をトップケース３側に形成しても良い。また、図２に示すように凸部２１を断続的に形成しても良い。溝３２は凸部２１に合わせて形成すれば良い。
【００１４】
キーラバー４は樹脂成型品であり、その表面に複数の操作キー４１を形成している。操作キー４１はボタン形状でありその内部は空洞ではなく、樹脂が詰まったブロックである。キーラバー４の表面に形成されている複数の操作キー４１を、トップケース３の上面に形成されているキー穴３１に挿入して取り付ける。
【００１５】
回路基板５は、入力操作部で操作されたキーに応じて電子機器本体に制御信号を送信する回路を有する。裏面のリブ２２があたる位置には、回路パターンが形成されていない。回路基板５には、キーラバー４に形成されている操作キー毎に、押圧を検知する素子が配置されている。回路基板５とキーラバー４が所定の位置で簡単に重ね合わせられるように、回路基板５上にボス５１を形成し、キーラバー４にボス５１が嵌合される開口部４２を形成している。ボス５１を開口部４２に嵌合させた時、キーラバー４の各操作キー４１と回路基板５に配置されている操作キー４１の押圧を検知する素子の位置が一致する。回路基板５の端部にはトップケース３に収納される電池５２の電池端子５３が設けられている。
【００１６】
次に、リモコン装置１の組立の手順を説明する。まず、回路基板５の上にキーラバー４を重ねる。具体的には、回路基板５のボス５１をキーラバー４の開口部４２に嵌合させる。この状態を図３に示す。キーラバー４の操作キー４１毎に回路基板５に配置されている操作キー４１の押圧を検知する素子の位置が一致している。また、回路基板５のボス５１をキーラバー４の開口部４２に嵌合させているので回路基板５とキーラバー４とがずれることがない。
【００１７】
そして、トップケース３のキー穴３１に回路基板に重ね合わしたキーラバー４の操作キー４１をはめ込む。この状態を図４に示す。
【００１８】
次に、トップケース３の側面に形成した溝３２に、ボトムケース２の凸部２１を嵌挿し、ボトムケース２を図１に示すＡ方向にスライドさせ、ボトムケースをトップケース３に取り付ける。この状態を図５に示す。
【００１９】
リブ２２の高さは、ボトムケース２をトップケース３に取り付けた時に、その上に操作キー４１となるキーラバー４を重ねた回路基板５をトップケース３に圧接する高さである。また、リブ２２は、長手方向に平行に複数本設けている。図６に示すようにキーラバー４を重ねた回路基板５がリブ２２とトップケース３の内面とにより挟持された状態となる。従って、回路基板５をネジで固定をしなくてもキー操作時に回路基板５がぐらつくことがない。
【００２０】
このように、この実施形態のリモコン装置１は回路基板５をボトムケース２またはトップケース３にネジ止めすることなく組み立てることが出来るので、組立工数を減らし、コストが押さえられる。
【００２１】
次にこの実施形態のリモコン装置１の使い方について説明する。
【００２２】
リモコン装置１はいずれかの操作キー４１が押されたとき、回路基板 5においてその操作キー４１の押圧を検知する。回路基板５は、押された操作キー４１に応じた制御信号を電子機器本体に送信する。これにより、電子機器本体が押されたキーに応じた動作を行う。また、キーラバー４を重ねた回路基板５がリブ２２とトップケース３の内面とにより挟持されているので、キー操作時に回路基板５がぐらつくことはない。
【００２３】
図７は電池５２を交換するときの状態を示す図である。電池５２の収納部は、トップケース３における下側の端部にあるので、トップケース３をボトムケース 2に対して電池収納部の長さだけスライドさせることにより電池５２の交換が行える。具体的には電池収納部の長さだけトップケース３をボトムケース２に対してスライドさせた状態で電池５２をリモコン装置１の裏側から入れ、回路基板５の端部にある電池端子５３の間に挿入する。
【００２４】
また、回路基板５はキーラバー４とボス５１により固定され、キーラバー４は操作キー４１をトップケース３のキー穴３１にはめ込んでいるので、ボトムケース２とトップケース３と、を相対的に長手方向にスライドさせた時でも、スライド時に回路基板５とキーラバー４をボスで固定し、キーラバーとトップケースをキー穴で固定しているため、回路基板５やキーラバー４がずれることはない。また、回路基板５の裏面においてリブと当接している位置は回路パターンが形成されていないのでボトムケースとトップケースと、を相対的に長手方向にスライドさせた時に、パターンが切れることもない。このように電池の交換がリモコン装置１を少しだけ開閉することで出来るので作業性が良い。さらに電池交換時に回路基板５やキーレバー４がトップケースから外れることがなく、電池交換毎にリモコン装置を組み立てるような事態になることもない。
【図面の簡単な説明】
【００２５】
【図１】この発明の実施形態であるリモコン装置の分解構造図である。
【図２】この発明の別の実施形態であるリモコン装置のボトムケースの上面図である。
【図３】回路基板のボスをキーラバーの開口部に嵌合させるときの斜視図である。
【図４】トップケースのキー穴に回路基板に重ね合わしたキーラバーの操作キーをはめ込むときの斜視図である。
【図５】トップケースの側面に形成した溝に、ボトムケースの凸部を嵌挿し、ボトムケースを図１に示すＡ方向にスライドさせ、ボトムケースをトップケースに取り付けるときの斜視図である。
【図６】キーラバーを重ねた回路基板がリブとトップケースの内面とにより挟持された状態のときの断面図である。
【図７】電池を交換するときの状態を示す図である。
【符号の説明】
【００２６】
１−リモコン装置
２−ボトムケース
２１−凸部
２２−リブ
３−トップケース
３１−キー穴
３２−溝
４−キーラバー
４１−操作キー
４２−開口部
５−回路基板
５１−ボス
５２−電池
５３−電池端子
【図１】
2006041140.tif 000003
【図２】
2006041140.tif 000004
【図３】
2006041140.tif 000005
【図４】
2006041140.tif 000006
【図５】
2006041140.tif 000007
【図６】
2006041140.tif 000008
【図７】
2006041140.tif 000009